(57)【要約】【課題】  構造の簡素化及び部品点数の削減を図ることができ、フィルター清掃作業を省略できる浴槽用温水口装置を提供する。【解決手段】  本発明は、槽壁部に貫通状態に設けられる浴槽用温水口装置を対象とし、湯はり処理と、追い炊き処理とを実行する。湯はり処理では、第１及び第２外管接続部１ａ、１ｂから供給される温水を、第１及び第２流路Ａ、Ｂ、第１及び第２区画室５ａ、５ｂ、第１及び第２フィルター７ａ、７ｂに通過させて、前記第１及び第２温水口から槽内に供給する。追い炊き処理では、記第１外管接続部１ａから供給される温水を、第１流路Ａ、第１区画室５ａ、第１フィルター７ａに通過させて、第１温水口６ａから槽内に供給するとともに、第２温水口６ｂから吸い込まれた浴槽水を、第２区画室５ｂ、第２フィルター７ｂ、第２流路Ｂに通過させて、第２外管接続部１ｂから流出させる。【選択図】      図１
2005114263.tif 000002
【特許請求の範囲】
【請求項１】
浴槽壁部に貫通状態に設けられる浴槽用温水口装置であって、
浴槽内部に開放する第１及び第２温水口と、
浴槽外部に設けられる第１及び第２外管接続部と、
前記第１温水口及び前記第１外管接続部間を連通する第１流通経路と、
前記第２温水口及び前記第２外管接続部間を連通する第２流通経路と、
前記第１及び第２流通経路にそれぞれ設けられ、かつ各経路を流通する流通水内の不純物を取り除くための第１及び第２フィルターとを備え、
前記第１及び第２外管接続部から供給される温水を、前記第１及び第２流通経路、前記第１及び第２フィルターに通過させて、前記第１及び第２温水口から槽内に供給する給湯処理と、
前記第１外管接続部から供給される温水を、前記第１流通経路、前記第１フィルターに通過させて、前記第１温水口から槽内に供給するとともに、前記第２温水口から吸い込まれた浴槽水を、前記第２流通経路、前記第２フィルターに通過させて、前記第２外管接続部から流出させる循環処理とを行うようにしたことを特徴とする浴槽用温水口装置。
【請求項２】
浴槽内側に突出するように配置される浴槽内突出部を具備し、
前記浴槽内突出部の周側面に前記第１及び第２温水口が形成されてなる請求項１記載の浴槽用温水口装置。
【請求項３】
前記浴槽内突出部に前記第１及び第２フィルターが設けられてなる請求項２記載の浴槽用温水口装置。
【請求項４】
前記第１及び第２フィルターが一体に形成されてなる請求項１ないし３のいずれかに記載の浴槽用温水口装置。
【請求項５】
浴槽壁部に貫通状態に設けられる浴槽用温水口装置であって、
前部に区画室部材が設けられ、その区画室部材が浴槽内側に突出するように配置される装置本体と、
前記区画室部材内に設けられる第１及び第２区画室と、
前記区画室部材の外面に設けられ、かつ前記第１及び第２区画室にそれぞれ連通する第１及び第２温水口と、
浴槽外部に設けられる第１及び第２外管接続部と、
前記第１区画室及び第１外管接続部間を連通する第１流路と、
前記第２区画室及び第２外管接続部間を連通する第２流路と、
前記第１及び第２区画室にそれぞれ設けられ、かつ各区画室を流通する流通水内の不純物を取り除くための第１及び第２フィルターとを備え、
前記第１及び第２外管接続部から供給される温水を、前記第１及び第２流路、前記第１及び第２区画室、前記第１及び第２フィルターに通過させて、前記第１及び第２温水口から槽内に供給する給湯処理と、
前記第１外管接続部から供給される温水を、前記第１流路、前記第１区画室、前記第１フィルターに通過させて、前記第１温水口から槽内に供給するとともに、前記第２温水口から吸い込まれた浴槽水を、前記第２区画室、前記第２フィルター、前記第２流路に通過させて、前記第２外管接続部から流出させる循環処理とを行うようにしたことを特徴とする浴槽用温水口装置。
【請求項６】
前記区画室部材の周側面に前記第１及び第２温水口が形成されてなる請求項５記載の浴槽用温水口装置。
【請求項７】
前記第１区画室が、前記第１フィルターによって、前記第１流路側に位置する第１区画室上流域と、前記第１温水口側に位置する第１区画室下流域とに仕切られるとともに、
前記第２区画室が、前記第２フィルターによって、前記第２流路側に位置する第２区画室上流域と、前記第２温水口側に位置する第２区画室下流域とに仕切られ、
給湯処理においては、前記第１及び第２流路から前記第１及び第２区画室内に流入される温水が、前記第１及び第２区画室上流域、前記第１及び第２フィルター、前記第１及び第２区画室下流域を経て、前記第１及び第２温水口に導かれる一方、
循環処理においては、前記第２温水口から吸い込まれた浴槽水が、前記第２区画室下流域、前記第２フィルター、前記第２区画室上流域を経て、前記第２流路に導かれるよう構成されてなる請求項５又は６記載の浴槽用温水口装置。
【請求項８】
前記区画室部材に、軸心に対し直交する方向に沿って仕切壁が設けられ、その仕切壁によって、前記第１及び第２区画室間が仕切られてなる請求項５ないし７のいずれかに記載の浴槽用温水口装置。
【請求項９】
前記第１フィルターが、前記区画室部材の軸心に対し直交して配置されてなる請求項５ないし８のいずれかに記載の浴槽用温水口装置。
【請求項１０】
前記第２フィルターが、前記区画室部材の軸心に対し直交して配置されてなる請求項５ないし９のいずれかに記載の浴槽用温水口装置。
【請求項１１】
前記第１及び第２フィルターが一体に形成されてなる請求項４ないし１０のいずれかに記載の浴槽用温水口装置。
【請求項１２】
前記区画室部材の前面側が閉塞されてなる請求項６記載の浴槽用温水口装置。
【請求項１３】
前記区画室部材の少なくとも前面閉塞壁が透明な部材により形成されてなる請求項１２記載の浴槽用温水口装置。
【請求項１４】
前記第１区画室下流域が、前記第１区画室上流域に対し浴槽内方側に配置されてなる請求項７記載の浴槽用温水口装置。
【請求項１５】
前記第２区画室下流域が、前記第２区画室上流域に対し浴槽内方側に配置されてなる請求項７又は１４記載の浴槽用温水口装置。
【請求項１６】
浴槽壁部に貫通状態に設けられる浴槽用温水口装置であって、
浴槽の内外を繋ぐ２本の流通経路を有し、
前記２本の流通経路を介して、浴槽外部から浴槽内に温水を供給する給湯処理と、
一方の流通経路を介して、浴槽外部から浴槽内に温水を供給するとともに、他方の流通経路を介して浴槽水を浴槽外部に導く循環処理とを行うよう構成され、
前記２本の流通経路のうち、少なくとも他方の流通経路に、その経路を流通する流通水内の不純物を取り除くためのフィルターが設けられてなることを特徴とする浴槽用温水口装置。
【請求項１７】
浴槽壁部に貫通状態に設けられる浴槽用温水口装置であって、
浴槽内部に開放する第１及び第２温水口と、
浴槽外部に設けられる第１及び第２外管接続部と、
前記第１温水口及び前記第１外管接続部間を連通する第１流通経路と、
前記第２温水口及び前記第２外管接続部間を連通する第２流通経路と、
前記第１及び第２外管接続部から供給される温水を、前記第１及び第２流通経路に通過させて、前記第１及び第２温水口から槽内に供給する給湯処理と、
前記第１外管接続部から供給される温水を、前記第１流通経路に通過させて、前記第１温水口から槽内に供給するとともに、前記第２温水口から吸い込まれた浴槽水を、前記第２流通経路に通過させて、前記第２外管接続部から流出させる循環処理とを行うよう構成され、
前記第２温水口に、その温水口を流通する流通水内の不純物を取り除くためのフィルターが設けられてなることを特徴とする浴槽用温水口装置。
【発明の詳細な説明】
【技術分野】
【０００１】
この発明は、浴槽壁部に設けられ、浴槽に対し温水の吐出や吸込を行うための浴槽用温水口装置に関する。
【背景技術】
【０００２】
従来、浴槽と給湯機とが配管接続されて、湯はり処理や追い焚き処理を行うようにした浴槽システムが周知である。この浴槽システムにおいては、浴槽の側壁に貫通状態に温水口装置が取り付けられるとともに、この装置と室外の給湯機とが配管接続されている。そして、湯はり時には、給湯機から供給された温水を温水口装置を介して浴槽内に導入するとともに、追い焚き時には、槽内の温水を温水口装置から吸い込んで給湯機に送り込み、そこで再加熱した後、槽内に戻すようにしている。
【０００３】
このような浴槽システムに用いられる温水口装置としては、例えば下記特許文献１に示すものが周知である。この温水口装置は、浴槽内側に突出するように配置される浴槽内突出部を具備し、この浴槽内突出部の前面側に第１及び第２吸込口が設けられるとともに、浴槽内突出部の周側面に第１及び第２吐出口が設けられている。更に温水口装置の内部には、浴槽の内外を連通する第１及び第２流通経路を有している。そして、室外給湯機に接続される外部往き管が、例えば第１流通経路に接続されるとともに、給湯機側の外部戻り管が、第２流通経路に接続されている。そして、湯はり時には、外部往き管及び戻り管から供給される温水が第１及び第２流通経路を通って、第１及び第２吐出口から浴槽内に供給される一方、追い炊き時には、外部往き管から供給される温水が第１流通経路を通って第１吐出口から浴槽内に供給されるとともに、第２吐出口から吸い込まれた低温の浴槽水が第２流通経路を通って外部戻り管から室外給湯機に送り込まれることにより、浴槽水が強制的に循環されるよう構成されている。
【特許文献１】特開平１０−４７７８３号
【発明の開示】
【発明が解決しようとする課題】
【０００４】
上記従来の浴槽用温水口装置は、第１及び第２流通経路に対し、温水を吐出方向のみに流通させる吐出口と、温水を吸込方向のみに流通させる吸込口とを２つずつ形成するものであるため、各流通経路と、吐出口及び吸込口との位置関係や接続関係が複雑になり、構造の複雑化を来すとともに、吐出口からの温水の吸込や、吸込口からの温水の吐出等の温水の逆流を防止するために、吐出口及び吸込口に逆止弁を設ける必要があるため、部品点数の増大を来す。その結果、装置の大型化やコストの増大を来すという問題が発生する。
【０００５】
また上記従来の浴槽用温水口装置においては、浴槽内のゴミ等の異物が、温水口装置内部や給湯機内に入り込むのを防止するために、温水口装置の前面に、第１及び第２吸込口を覆うようにフィルターが設けられており、温水吸い込み時に、その温水内の異物をフィルターによって取り除くように構成している。このため長期にわたって使用していくうちに、異物の取り込みによってフィルターに目詰まりが生じ、温水の吸込を効率良く行えなくなってしまう。このため、フィルター清掃作業等を定期的に頻繁に行わねばならず、この清掃作業等のメンテナンス作業が面倒であるという問題を抱えている。
【０００６】
この発明は、上記従来技術の問題を解消し、構造の簡素化及び部品点数の削減により、小型軽量化及びコスト削減を図ることができる上更に、フィルター清掃作業等のメンテナンス作業を容易にあるいは省略することができる浴槽用温水口装置を提供することを目的とする。
【課題を解決するための手段】
【０００７】
上記目的を達成するため、本第１発明は、浴槽壁部に貫通状態に設けられる浴槽用温水口装置であって、浴槽内部に開放する第１及び第２温水口と、浴槽外部に設けられる第１及び第２外管接続部と、前記第１温水口及び前記第１外管接続部間を連通する第１流通経路と、前記第２温水口及び前記第２外管接続部間を連通する第２流通経路と、前記第１及び第２流通経路にそれぞれ設けられ、かつ各経路を流通する流通水内の不純物を取り除くための第１及び第２フィルターとを備え、前記第１及び第２外管接続部から供給される温水を、前記第１及び第２流通経路、前記第１及び第２フィルターに通過させて、前記第１及び第２温水口から槽内に供給する給湯処理と、前記第１外管接続部から供給される温水を、前記第１流通経路、前記第１フィルターに通過させて、前記第１温水口から槽内に供給するとともに、前記第２温水口から吸い込まれた浴槽水を、前記第２流通経路、前記第２フィルターに通過させて、前記第２外管接続部から流出させる循環処理とを行うようにしたものを要旨としている。
【０００８】
この第１発明の浴槽用温水口装置においては、湯はり等の貯湯時には第１及び第２温水口を吐出口として利用し、再加熱等の追い炊き時には一方の温水口を吸込口として利用するものである。このように温水口を、吐出用及び吸込用の双方に兼用させるものであるため、温水口と、流通経路との位置関係や接続関係を簡素に形成することができる上更に、温水口に逆流防止用の逆止弁を設ける必要もない。このため構造の簡素化及び部品点数の削減を図ることができ、組付作業性を向上させつつ、小型軽量化及びコストの削減を図ることができる。
【０００９】
また本発明においては、温水流通経路を簡素にできるため、温水の流通抵抗を低減できるとともに、逆止弁等の抵抗手段がなく、圧力損失も低減できるため、温水を高圧で効率良くスムーズに流通させることができる。このため特に、追い炊き時等においては、浴槽内に強い圧力で温水を吐出させることができ、浴槽内における温水の循環を効率良く行うことができ、入浴時における温度分布の偏り等の不具合を有効に防止できて、快適な入浴環境を得ることができる。
【００１０】
更に本発明は、温水が双方向に流通する流通経路上にフィルターを設けるものであるため、追い炊き時等の温水吸込時にフィルターに取り込まれたゴミ等の不純物が、湯はり時等の吐出時において逆流洗浄作用によって、フィルターから取り除かれて、浴槽内に放出される。このように湯はり時に、フィルターを自動的に清掃することができ、メンテナンス作業を省略でき、良好な使い勝手を得ることができる。
【００１１】
本第１発明においては、浴槽内側に突出するように配置される浴槽内突出部を具備し、前記浴槽内突出部の周側面に前記第１及び第２温水口が形成されてなる構成を採用するのが好ましい。
【００１２】
すなわちこの構成を採用する場合には、貯湯時に、温水を浴槽内面に沿って滑らかに供給することができ、吐出される温水の飛散による不快音の発生を防止でき、静かに湯はりを行うことができる。
【００１３】
本第１発明においては、前記浴槽内突出部に前記第１及び第２フィルターが設けられてなる構成を採用するのが良い。
【００１４】
すなわちこの構成を採用する場合には、フィルターの設置面積を大きく確保することができ、目詰まりの発生を防止しつつ、ゴミ等の異物の除去性能を向上させることができる。
【００１５】
更に本第１発明においては、前記第１及び第２フィルターが一体に形成されてなる構成を採用するのが望ましい。
【００１６】
すなわちこの構成を採用する場合には、部品点数を一層削減することができ、組付作業性等を一層向上させることができる。
【００１７】
上記目的を達成するため、本第２発明は、浴槽壁部に貫通状態に設けられる浴槽用温水口装置であって、前部に区画室部材が設けられ、その区画室部材が浴槽内側に突出するように配置される装置本体と、前記区画室部材内に設けられる第１及び第２区画室と、前記区画室部材の外面に設けられ、かつ前記第１及び第２区画室にそれぞれ連通する第１及び第２温水口と、浴槽外部に設けられる第１及び第２外管接続部と、前記第１区画室及び第１外管接続部間を連通する第１流路と、前記第２区画室及び第２外管接続部間を連通する第２流路と、前記第１及び第２区画室にそれぞれ設けられ、かつ各区画室を流通する流通水内の不純物を取り除くための第１及び第２フィルターとを備え、前記第１及び第２外管接続部から供給される温水を、前記第１及び第２流路、前記第１及び第２区画室、前記第１及び第２フィルターに通過させて、前記第１及び第２温水口から槽内に供給する給湯処理と、前記第１外管接続部から供給される温水を、前記第１流路、前記第１区画室、前記第１フィルターに通過させて、前記第１温水口から槽内に供給するとともに、前記第２温水口から吸い込まれた浴槽水を、前記第２区画室、前記第２フィルター、前記第２流路に通過させて、前記第２外管接続部から流出させる循環処理とを行うようにしたものを要旨としている。
【００１８】
この第２発明においても、上記第１発明と同様に、同様の作用効果を得ることができる。特に本第２発明においては、区画室を設けて、その室内にフィルターを配置するものであるため、フィルターを適切位置に確実に設置でき、フィルターによるゴミ等の不純物除去性能を一層向上させることができる。
【００１９】
本第２発明においては、上記と同様に、前記区画室部材の周側面に前記第１及び第２温水口が形成されてなる構成を採用するのが好ましい。
【００２０】
本第２発明においては、前記第１区画室が、前記第１フィルターによって、前記第１流路側に位置する第１区画室上流域と、前記第１温水口側に位置する第１区画室下流域とに仕切られるとともに、前記第２区画室が、前記第２フィルターによって、前記第２流路側に位置する第２区画室上流域と、前記第２温水口側に位置する第２区画室下流域とに仕切られ、給湯処理においては、前記第１及び第２流路から前記第１及び第２区画室内に流入される温水が、前記第１及び第２区画室上流域、前記第１及び第２フィルター、前記第１及び第２区画室下流域を経て、前記第１及び第２温水口に導かれる一方、循環処理においては、前記第２温水口から吸い込まれた浴槽水が、前記第２区画室下流域、前記第２フィルター、前記第２区画室上流域を経て、前記第２流路に導かれるよう構成されてなるものを採用するのが良い。
【００２１】
この場合、フィルターによるゴミ除去性能をより一層向上させることができる。
【００２２】
本第２発明においては、前記区画室部材に、軸心に対し直交する方向に沿って仕切壁が設けられ、その仕切壁によって、前記第１及び第２区画室間が仕切られてなる構成を採用するのが、一層好ましい。
【００２３】
すなわちこの構成を採用する場合には、簡素な構成で区画室を確実に形成することができる。
【００２４】
本第２発明においては、前記第１フィルターが、前記区画室部材の軸心に対し直交して配置されてなる構成、又は、前記第２フィルターが、前記区画室部材の軸心に対し直交して配置されてなる構成を採用するのが、一層望ましい。
【００２５】
すなわちこれらの構成を採用する場合には、フィルターの設置面積を十分に確保することができ、フィルターによるゴミ除去性能を、より一層向上させることができる。
【００２６】
本第２発明においては、上記と同様、前記第１及び第２フィルターが一体に形成されてなる構成を採用するのが、より好ましい。
【００２７】
本第２発明においては、前記区画室部材の前面側が閉塞されてなる構成を採用することができる。
【００２８】
本第２発明においては、前記区画室部材の少なくとも前面閉塞壁が透明な部材により形成されてなる構成を採用するのが、より望ましい。
【００２９】
すなわちこの構成を採用する場合には、透明な前面閉塞壁を介して、内部のフィルターを目視することができ、フィルターの汚れ具合等を的確に把握することができる。
【００３０】
本第２発明においては、前記第１区画室下流域が、前記第１区画室上流域に対し浴槽内方側に配置されてなる構成、又は前記第２区画室下流域が、前記第２区画室上流域に対し浴槽内方側に配置されてなる構成を好適に採用することができる。
【００３１】
上記目的を達成するため、本第３発明は、浴槽壁部に貫通状態に設けられる浴槽用温水口装置であって、浴槽の内外を繋ぐ２本の流通経路を有し、前記２本の流通経路を介して、浴槽外部から浴槽内に温水を供給する給湯処理と、一方の流通経路を介して、浴槽外部から浴槽内に温水を供給するとともに、他方の流通経路を介して浴槽水を浴槽外部に導く循環処理とを行うよう構成され、前記２本の流通経路のうち、少なくとも他方の流通経路に、その経路を流通する流通水内の不純物を取り除くためのフィルターが設けられてなるものを要旨としている。
【００３２】
この第３発明においても、上記と同様に、同様の作用効果を得ることができる。
【００３３】
上記目的を達成するため、本第４発明は、浴槽壁部に貫通状態に設けられる浴槽用温水口装置であって、浴槽内部に開放する第１及び第２温水口と、浴槽外部に設けられる第１及び第２外管接続部と、前記第１温水口及び前記第１外管接続部間を連通する第１流通経路と、前記第２温水口及び前記第２外管接続部間を連通する第２流通経路と、前記第１及び第２外管接続部から供給される温水を、前記第１及び第２流通経路に通過させて、前記第１及び第２温水口から槽内に供給する給湯処理と、前記第１外管接続部から供給される温水を、前記第１流通経路に通過させて、前記第１温水口から槽内に供給するとともに、前記第２温水口から吸い込まれた浴槽水を、前記第２流通経路に通過させて、前記第２外管接続部から流出させる循環処理とを行うよう構成され、前記第２温水口に、その温水口を流通する流通水内の不純物を取り除くためのフィルターが設けられてなるものを要旨としている。
【００３４】
この第４発明においても、上記と同様に、同様の作用効果を得ることができる。
【００３５】
なお本発明において、温水口は２つに限られず、３つ以上形成するようにしても良い。温水口は片側に設けるようにしても良い。
【発明の効果】
【００３６】
以上のように、本発明の浴槽用温水口装置によれば、構造の簡素化及び部品点数の削減により、小型軽量化及びコスト削減を図ることができる上更に、フィルター清掃作業等の面倒なメンテナンス作業を省略できるという効果がある。
【発明を実施するための最良の形態】
【００３７】
図１ないし図３はこの発明の実施形態である浴槽用温水口装置（Ｐ）を示す図である。これらの図に示すように、この実施形態の温水口装置（Ｐ）は、浴槽（Ｔ）の側壁に設けられた取付孔（Ｈ）に取り付けられるものであって、浴槽（Ｔ）の外部に設けられた給湯機から供給される温水を浴槽（Ｔ）内に供給して、湯はり等の貯湯処理を行うことができる。更に浴槽（Ｔ）内の温水を吸い込んで給湯機に送り、そこで再加熱して、その高温の温水を浴槽（Ｔ）に戻して、追い焚き等の強制循環処理を行うこともできる。
【００３８】
なお、この温水口装置（Ｐ）は、この装置（Ｐ）が備える２つの外管接続部（１ａ）（１ｂ）に対して、給湯機につながる往き管及び戻り管のどちらを接続しても使用可能な、いわゆる無極性タイプのものである。
【００３９】
本実施形態の温水口装置（Ｐ）は、槽外取付具（１）と、装置本体（１０）とを基本的な構成要素として備えている。
【００４０】
槽外取付具（１）は、一端側（前面側）が開放され、かつ他端側（後面側）が閉塞された円筒形状の外筒体（１２）と、その外筒体（１２）の内部に同軸心上に配置される円筒形状の内筒体（１１）と、外筒体（１２）の一端外周に設けられた平板リング状のフランジ（１５）と、外筒体（１２）の他端閉塞壁に設けられ、かつ軸心方向に沿って他端側に延びる管状の第１及び第２外管接続部（１ａ）（１ｂ）とを一体に有する金属製品をもって構成されている
内筒体（１１）の内側空間は、第１流路（Ａ）の一部として構成されるとともに、内筒体（１１）及び外筒体（１２）との間の空間は、第２流路（Ｂ）の一部として構成されており、上記第１外管接続部（１ａ）が第１流路（Ａ）に連通されるとともに、第２外管接続部（１ｂ）が第２流路（Ｂ）に連通されている。
【００４１】
更に外筒体（１１）の一端側内周面には、雌ねじ（１４）が刻設されている。
【００４２】
また内筒体（１１）の内周面前端部には、合成ゴム製のオーリング（８１）が収容配置される。
【００４３】
槽外取付具（１）のフランジ（１５）に設けられるリング状の合成ゴム製被覆パッキン（８２）は、その内周面に沿って嵌合溝（８２ａ）が形成されている。そして、この被覆パッキン（８２）が、その嵌合溝（８２ａ）をフランジ（１５）に嵌め込むことにより、フランジ（１５）の外周面ほぼ全域を被覆した状態で密着固定される。
【００４４】
更に被覆パッキン（８２）の前面側は、厚板状に形成されて、パッキン本体（８２ｂ）として構成されるとともに、そのパッキン本体（８２ｂ）の表裏面には、周方向に連続する複数の密着用突条リブ（８２ｃ）が一体に形成されている。
【００４５】
装置本体（１０）は、槽内取付具（２）と、流路形成部材（３）とを有している。
【００４６】
槽内取付具（２）は、両端が開放された円筒形状の筒体（２１）と、その筒体（２１）の一端外周に設けられた平板リング状のフランジ（２５）とを一体に有するポリアセテート樹脂等からなる鍔付き円筒形状の硬質合成樹脂成形品をもって構成されている。
【００４７】
筒体（２１）は、外周面に雄ねじ（２４）が刻設されており、その雄ねじ（２４）及び上記雌ねじ（１４）を介して、上記槽外取付具（１）における外筒体（１２）の筒孔内に螺着できるよう構成されている。
【００４８】
槽内取付具（２）と浴槽（Ｔ）の内壁との間に介在される弾性パッキン（８３）は、フランジ（２５）の形状に対応する平板リング状の合成ゴム成形品をもって構成されている。
【００４９】
更にフランジ（２５）とパッキン（８３）との間に介在される緩衝部材（８４）は、フランジ（２５）の形状に対応する平板リング状に形成されている。この緩衝部材（８４）は、軟質性ないしは弾力性を有するポリエチレン樹脂等の軟質合成樹脂の成形品をもって構成されている。
【００５０】
そして、上記槽外取付具（１）のフランジ（１５）が、浴槽（Ｔ）の外壁面における取付孔（Ｈ）の周縁部に沿うように配置された状態で、槽内取付具（２）のフランジ（１５）が、緩衝部材（８４）及びパッキン（８３）を介して浴槽内壁面における取付孔（Ｈ）の周縁部に圧接されるようにして、槽内取付具（２）の筒体（２１）が取付孔（Ｈ）を通じてねじ込み固定される。これにより、両取付具（１）（２）のフランジ（１５）（２５）が、浴槽側壁における取付孔周縁部を挟持することにより、両取付具（１）（２）が浴槽側壁に貫通状態に固定される。
【００５１】
図１ないし図４に示すように、装置本体（１０）の流路形成部材（３）は、流路形成部材本体（４）と、区画室カバー（６）と、フィルター部材（７）とを具備している。
【００５２】
流路形成部材本体（４）は、硬質合成樹脂の一体成形品からなり、細長円筒形状の筒体（４１）と、その一端に設けられた区画室部材本体（５）とを有している。
【００５３】
筒体（４１）は、上記槽外取付具（１）における内筒体（１１）の内部に適合状態に挿入できる大きさに形成されている。
【００５４】
区画室部材本体（５）は、筒体（４１）の一端に設けられた円板状の底壁（５１）と、その底壁（５１）の前面側外周を囲うようにして設けられた外周壁（５２）とを一体に有している。この区画室部材本体（５）は、径方向の大きさが上記槽内取付具（２）のフランジ（２５）とほぼ同じ大きさに形成されている。
【００５５】
そして、流路形成部材本体（４）が、複数のタッピングビス等のビス（３７）によって上記槽内取付具（２）に組付固定される。すなわち流路形成部材本体（４）の筒体（４１）が槽内取付具（２）の筒体（２１）を通じて、槽外取付具（１）の内筒体（１１）の筒孔に、上記オーリング（８１）を介して適合状態に挿入されるとともに、流路形成部材本体（４）の前面側から複数のビス（３７）が、区画室部材本体（５）の底壁（５１）の外周部に貫通されて、槽内取付具（２）のフランジ（１５）の外周部に螺着される。これにより流路形成部材本体（４）が槽内取付具（２）に組付固定される。
【００５６】
なお図３に示すように、流路形成部材（３）における区画室部材本体（５）の後面側外周縁部と、槽内取付具（２）におけるフランジ（３５）の外周縁部との間には、平板リング状の合成ゴム製パッキン（８５）が介装されて、その間の水密が図られるよう構成されている。
【００５７】
この組付状態においては、槽外取付具（１）の内筒体（１１）の内部が、流路形成部材（３）の筒体（４１）の内部に連通して、第１流路（Ａ）として構成されるとともに、槽外取付具（１）の内外筒体（１１）（１２）間が、槽内取付具（２）の筒体（２１）及び流路形成部材（４）の筒体（４１）間に連通して、第２流路（Ｂ）が構成されている。これらの第１及び第２流路（Ａ）（Ｂ）は、互いに独立して設けられている。
【００５８】
図４及び図８に示すように、フィルター部材（７）は、区画室部材本体（５）の前面開口形状に対応して、円板形状を有している。このフィルター部材（７）が、軸心（Ｘ）に対し直交した状態で、区画室部材本体（５）の前面側に配置される。
【００５９】
また図４に示すように、区画室カバー（６）は、透明な部材によって構成されており、前面閉塞壁（６１）と、その前面閉塞壁（６１）の外周に設けられた外周壁（６２）とを有している。この区画室カバー（６）が、その前面閉塞壁（６１）によって、区画室部材本体（５）の前面側開口部を閉塞するとともに、外周壁（６２）によって、区画室部材本体（５）の外周壁（５２）の外側を覆う態様に、区画室部材本体（５）に前面側から外嵌されている。
【００６０】
ここで本実施形態においては、区画室部材本体（５）と区画室カバー（６）によって区画室部材（５０）が形成されている。
【００６１】
区画室部材本体（５）における底壁（５２）の前面側には、軸心（Ｘ）に対し直交する方向に沿って仕切壁構成体（５３）が一体に形成されるとともに、その仕切壁構成体（５３）に対応して、区画室カバー（６）における前面閉塞壁（６１）の裏面側には、仕切壁構成体（６３）が一体に形成されている。そして両仕切壁構成体（５３）（６３）の先端同士がフィルター部材（７）を介して、互いに水密状態に接合されている。この仕切壁構成体（５３）（６３）、つまり仕切壁によって、区画室部材（５０）の内部がほぼ二等分されて、互いにほぼ対称な半円形状の第１及び第２区画室（５ａ）（５ｂ）が形成される。これらの第１及び第２区画室（５ａ）（５ｂ）は、互いに独立して設けられている。
【００６２】
また区画室部材本体（５）における底壁（５１）の中心寄りの位置には、第１区画室（５ａ）に対応して、筒体（５１）の内部に連通する第１開口（５１ａ）が形成されており、第１区画室（５ａ）が、上記第１流路（Ａ）に連通される。更に底壁（５１）の中心寄りの位置には、第２区画室（５ｂ）に対応して、筒体（５１）の外部に連通する第２開口（５１ｂ）が形成されており、第２区画室（５ｂ）が上記第２流路（Ｂ）に連通されている。
【００６３】
なお本実施形態においては、上記第１流路（Ａ）と第１区画室（５ａ）とにより第１流通経路が構成されるとともに、第２流路（Ｂ）と第２区画室（５ｂ）とにより第２流通経路が構成されている。
【００６４】
区画室部材本体（５）における第１区画室（５ａ）には、一端が前方に向けて開放され、かつ他端が外周壁（５２）の一側面において開放される第１温水口流路（５４ａ）が形成されている。更に区画室部材本体（５）における第２区画室（５ｂ）には、一端が前方に向けて開放され、かつかつ他端が外周壁（５２）における他側面において開放される第２温水口流路（５４ｂ）が形成されている。
【００６５】
フィルター部材（７）は、その半円形の一方側半部領域が、第１区画室（５ａ）に対応する第１フィルター（７ａ）として構成されるとともに、半円形の他方側半部領域が、第２区画室（５ｂ）に対応する第２フィルター（７ｂ）として構成されている。
【００６６】
各フィルター（７ａ）（７ｂ）は、それを流通する温水等の流通水内に残存するゴミ等の不純物、異物等を取り除くことができるように、多孔質ないしはメッシュ状等に形成されている。
【００６７】
第１区画室（５ａ）は、第１フィルター（７ａ）を境にして、その後方側（浴槽壁側）に第１区画室上流域（５８ａ）が形成されるとともに、前方側（浴槽内部側）に第１区画室下流域（５９ａ）が形成される。
【００６８】
第２区画室（５ｂ）は、第２フィルター（７ｂ）を境にして、その後方側（浴槽壁側）に第２区画室上流域（５８ｂ）が形成されるとともに、前方側（浴槽内部側）に第２区画室下流域（５９ｂ）が形成される。
【００６９】
第１フィルター（７ａ）には、区画室部材本体（５）における上記第１温水口流路（５４ａ）の一端開口部に適合するように、矩形状の第１フィルター開口部（７１ａ）が形成されるとともに、第２フィルター（７ｂ）には、第２温水口流路（５４ｂ）の一端開口部に適合するように、矩形状の第２フィルター開口部（７１ｂ）が形成されている。
【００７０】
また区画室カバー（６）の外周壁（６２）には、区画室部材本体（５）における第１温水口流路（５４ａ）の他端開口部に適合するように、矩形状の第１温水口（６ａ）が形成されるとともに、第２温水口流路（５４ｂ）の他端開口部に適合するように、矩形状の第２温水口（６ｂ）が形成されている。
【００７１】
これにより、第１温水口（６ａ）が、第１温水口流路（５４ａ）及び第１フィルター開口部（７１ａ）を介して、第１区画室下流域（５９ａ）に連通されるとともに、その第１区画室下流域（５９ａ）が、第１フィルター（７ａ）を介して、第１区画室上流域（５８ａ）に連通されている。更に第２温水口（６ｂ）が、第２温水口流路（５４ｂ）及び第２フィルター開口部（７１ｂ）を介して、第２区画室下流域（５９ｂ）に連通されるとともに、その第２区画室下流域（５９ｂ）が、第２フィルター（７ｂ）を介して、第２区画室上流域（５８ｂ）に連通されている。
【００７２】
なお図２等に示すように、流路形成部材（３）の区画室部材本体（５）における外周壁（５２）の外周面には、区画室カバー取付用の複数の鉤状溝（３６）が形成されるとともに、区画室カバー（６）における外周壁（６２）の内周面には、上記複数の鉤状溝（３６）に対応して、複数の係合突起（６６）が内方突出状に形成されている。そして、この係合突起（６６）が鉤状溝（３６）に挿入係合されることにより、区画室カバー（６）が区画室部材本体（５）に外嵌状態に組付固定されている。更にフィルター部材（７）は、区画室部材本体（５）の前面側と区画室カバー（６）の内面側とで挟持されて固定されている。
【００７３】
一方、図１ないし図３に示すように、化粧カバー（９）は、区画室部材（５０）の前面側を覆うように配置される円板状の前面カバーと、その前面カバーの外周縁に沿って設けられ、かつ区画室部材（５０）の外周側面を覆うように配置される側面カバーとを有するステンレス等の金属成形品をもって構成されている。この化粧カバー（９）は、その内周面が区画室部材（５０）の外面に焼き付け処理によって固着されている。
【００７４】
また化粧カバー（９）の前面カバーには、複数の前面開口（９５）が放射状に形成されており、この開口（９５）及び透明な区画室カバー（６）を介して、フィルター部材（７）を視認できるよう構成されている。
【００７５】
更に化粧カバー（９）の側面カバーには、区画室部材（５０）の第１及び第２温水口（６ａ）（６ｂ）にそれぞれ対応して、矩形状の第１及び第２側面開口（９６ａ）（９６ｂ）がそれぞれ形成されており、この開口（９６ａ）（９６ｂ）によって、第１及び第２温水口（６ａ）（６ｂ）が浴槽内に開放するよう構成されている。
【００７６】
以上の構成の温水口装置（Ｐ）は、槽外取付具（１）の外嵌接続部（１ａ）（１ｂ）に、室外給湯機からの往き管及び戻り管の２つの配管がそれぞれ連結されて、浴槽システムが形成される。
【００７７】
図１及び図９に示すように、この浴槽システムにおいて、浴槽（Ｔ）内に温水を供給して貯湯する場合には、室外給湯機から往き管及び戻り管を介して第１及び第２外管接続部（１ａ）（１ｂ）の双方に温水が供給される。これにより、温水が第１及び第２流路（Ａ）（Ｂ）を通って、第１及び第２区画室（５ａ）（５ｂ）の上流域（５８ａ）（５８ｂ）に流入され、更に第１及び第２フィルター（７ａ）（７ｂ）を通って、第１及び第２区画室下流域（５９ａ）（５９ｂ）に導かれる。そしてその温水が、第１及び第２フィルター開口部（７１ａ）（７１ｂ）、第１及び第２温水口流路（５４ａ）（５４ｂ）を通って、第１及び第２温水口（６ａ）（６ｂ）から浴槽内に放出される。
【００７８】
一方、浴槽（Ｔ）内の温水を再加熱するような追い焚き処理を行う場合には、温水口装置（Ｐ）の２つの流路（Ａ）（Ｂ）のうち、室外給湯機の往き管に接続された側の流路が吐出経路として機能し、戻り管に接続された側の流路が吸込流路として機能して、強制循環が行われる。例えば第１流路（Ａ）が吐出流路、第２流路（Ｂ）が吸込流路となるように配管接続された場合には、給湯機から供給される温水は、第１流路（Ａ）を通って第１区画室（５ａ）の上流域（５８ａ）、第１フィルター（７ａ）、下流域（５８ｂ）、第１温水口流路（５４ａ）を通って、第１温水口（６ａ）から浴槽内に放出される。
【００７９】
また第２流路（Ｂ）側の吸込流路においては、室外給湯機の戻り管及び第２流路（Ｂ）の負圧に伴い、第２区画室（５ｂ）が負圧となる。従って、浴槽（Ｔ）内の温水（浴槽水）は、第２温水口（６ｂ）、第２温水口流路（５４ｂ）を通って、第２区画室（５ｂ）の下流域（５９ｂ）に流入される。更にその温水は、第２フィルター（７ｂ）、第２区画室上流域（５８ｂ）、第２流路（Ｂ）、第２外管接続部（１ｂ）を通って室外給湯機に戻される。こうして浴槽（Ｔ）と室外給湯機との間で温水が循環されることにより、追い炊き処理が行われる。
【００８０】
この温水循環時において、浴槽（Ｔ）から室外給湯機に吸引される温水は、第２温水口（６ｂ）から第２区画室下流域（５９ｂ）を通って、更に第２フィルター（７ｂ）を通過するものであるため、そのフィルター（７ｂ）によって、吸い込まれる温水内のゴミ等の異物、不純物が取り除かれる。従って、温水口装置（Ｐ）の内部や、室外給湯機の内部に、ゴミ等が侵入することがなく、その侵入による不具合を確実に防止することができる。
【００８１】
なお、追い炊き処理において、温水口装置（Ｐ）の２つの流路（Ａ）（Ｂ）が、室外給湯機の往き管及び戻り管に対し、上記とは逆に接続した場合には、各流路（Ａ）（Ｂ）を温水が上記とは逆方向に流通して、強制循環されるものである。
【００８２】
以上のように、本実施形態の浴槽用温水口装置（Ｐ）によれば、貯湯時には第１及び第２温水口（６ａ）（６ｂ）を吐出口として利用し、追い炊き時にはいずれか一方の温水口を吸込口として利用するものである。このように温水口（６ａ）（６ｂ）を、吐出用及び吸込用の双方に兼用させるものであるため、温水口（６ａ）（６ｂ）と、区画室（５ａ）（５ｂ）等の流通経路との位置関係や接続関係を簡素に形成することができる上更に、温水口（６ａ）（６ｂ）に逆流防止用の逆止弁を設ける必要もない。このため、構造の簡素化及び部品点数の削減を図ることができ、小型軽量化はもちろん、コストの削減も図ることができる。
【００８３】
特に本実施形態においては、区画室部材（５０）を、ほぼ左右対称形状に形成することができ、より一層構造の簡素化を図ることができる。
【００８４】
参考までに、本実施形態の浴槽用温水口装置（Ｐ）においては、従来の温水口装置に対し、浴槽内突出部としての区画室部材（５０）における突出寸法を小さくすることができる。
【００８５】
また本実施形態においては、温水流通経路を簡素にできるため、温水の流通抵抗を低減できるとともに、逆止弁等の抵抗手段がなく、圧力損失も低減できるため、温水を高圧で効率良く流通させることができる。このため特に追い炊き時等においては、浴槽内に強い圧力で温水を吐出させることができ、浴槽内における温水の循環を効率良く行うことができ、入浴時における温度分布の偏り等の不具合を有効に防止することができる。
【００８６】
更に本実施形態においては、区画室部材（５０）の両側に温水口（６ａ）（６ｂ）を設けて、追い炊き時には、一方の温水口（６ａ）を介して一側方に向けて温水を吐出させて、他方の温水口（６ｂ）を介して他側方から温水を吸い込むようにしているため、温水口（６ａ）から吐出された温水が、浴槽内を循環せずに他方の温水口（６ｂ）から吸い込まれるようなショートサイクル等の不具合を防止でき、温水を浴槽内において大きく循環させることができ、この点においても、浴槽内の温度分布の偏り等を、より確実に防止することができる。
【００８７】
また本実施形態においては、湯はり時に温水が通過する区画室（５ａ）（５ｂ）内にフィルター（７ａ）（７ｂ）を設けるものであるため、追い炊き時の吸込経路上に配置される第２フィルター（７ｂ）に不純物が付着したとしても、湯はり時にはフィルター（７ｂ）に取り込まれた不純物を自動的に除去して清掃することができる。すなわち、湯はり時には、温水が第２フィルター（７ｂ）が配置された第２区画室（５ｂ）を、追い炊き時とは逆方向に流通するものであるため、この逆流によって第２フィルター（７ｂ）に取り込まれた不純物が取り除かれて、温水口（５ｂ）より浴槽内に放出される。このように湯はり時には、フィルター（７ａ）（７ｂ）を逆流洗浄作用によって自動的に清掃することができ、メンテナンス作業を省略でき、又は少なくともメンテナンス作業を軽減でき、良好な使い勝手を得ることができる。
【００８８】
なお本実施形態においては、フィルター清掃作業等を支障なく行うことができる。すなわち化粧カバー（９）の前面カバーに前面開口（９５）を形成するとともに、区画部材（５０）の区画室カバー（６）を透明な部材により構成しているため、開口（９５）及び透明な区画室カバー（６）を介して、フィルター部材（７）を視認することができる。従って、フィルター（７ａ）（７ｂ）の汚れ度合を容易に把握でき、必要時に、フィルター（７ａ）（７ｂ）を清掃することができる。
【００８９】
また本実施形態においては、区画室部材（５０）の周側面から浴槽内に温水を吐出するものであるため、貯湯時に、温水が浴槽内面に沿って滑らかに供給することができ、例えば吐出される温水の飛散による不快音の発生を防止でき、静かに湯はりを行うことができる。
【００９０】
なお、本発明において、区画室のフィルターによる仕切構造は、上記実施形態のものだけに限られることはない。
【００９１】
例えば図１０に示すように、区画室部材（５０）に第１及び第２温水口流路（５４ａ）（５４ｂ）を設けずに、フィルター（７ａ）（７ｂ）の前方側と第１及び第２流路（Ａ）（Ｂ）との間を第１及び第２連通路（１５４ａ）（１５４ｂ）により連通することにより、第１及び第２区画室（５ａ）（５ｂ）におけるフィルター（７ａ）（７ｂ）よりも前方に上流域（５８ａ）（５８ｂ）を形成し、後方に下流域（５９ａ）（５９ｂ）を形成するようにしても良い。
【００９２】
また図１１に示すように、筒状のフィルター部材（７）を区画室部材（５０）の内部に軸心を一致させた状態に配置し、この筒状フィルター部材（７）によって、第１及び第２区画室（５ａ）（５ｂ）を、内外に仕切って、内側を上流域（５８ａ）（５８ｂ）、外側を下流域（５９ａ）（５９ｂ）として構成するようにしても良い。
【図面の簡単な説明】
【００９３】
【図１】この発明の実施形態である浴槽用温水口装置を示す断面図である。
【図２】実施形態の温水口装置を分解して示す断面図である。
【図３】実施形態の温水口装置を分解して示す斜視図である。
【図４】実施形態の温水口装置における流路形成部材を分解して示す斜視図である。
【図５】実施形態の温水口装置における流路形成部材本体を示す正面図である。
【図６】実施形態の温水口装置における流路形成部材本体を示す背面図である。
【図７】図５のＤ−Ｄ線断面図である。
【図８】実施形態の温水口装置いおけるフィルター部材を示す正面図である。
【図９】実施形態の流路形成部材を模式化して示す断面図である。
【図１０】この発明の第１変形例として温水口装置における流路形成部材を模式化して示す断面図である。
【図１１】この発明の第２変形例として温水口装置における流路形成部材を模式化して示す断面図である。
【符号の説明】
【００９４】
１ａ、１ｂ…外管接続部
５ａ、５ｂ…区画室
６ａ、６ｂ…温水口
７ａ、７ｂ…フィルター
１０…装置本体
５０…区画室部材（浴槽内突出部）
５８ａ、５８ｂ…区画室上流域
５９ａ、５９ｂ…区画室下流域
５３、６３…仕切壁構成体（仕切壁）
Ａ、Ｂ…流路
Ｐ…浴槽用温水口装置
Ｔ…浴槽
Ｘ…軸心
【図１】
2005114263.tif 000003
【図２】
2005114263.tif 000004
【図３】
2005114263.tif 000005
【図４】
2005114263.tif 000006
【図５】
2005114263.tif 000007
【図６】
2005114263.tif 000008
【図７】
2005114263.tif 000009
【図８】
2005114263.tif 000010
【図９】
2005114263.tif 000011
【図１０】
2005114263.tif 000012
【図１１】
2005114263.tif 000013